(57)【要約】【課題】  構成部材の追加や材質の変更等を伴うことなく、打球時の力の伝達に対する不具合の解消を図ることができるグラウンドゴルフ用クラブを提供する。【解決手段】  基端側を競技者が把持し得る棒状のシャフト１と、該シャフト１先端に形成された木製のヘッド本体２と、該ヘッド本体２に形成され、打球し得るフェイス３と、ヘッド本体２に形成された金属製のソールプレート４とを有したグラウンドゴルフ用クラブにおいて、ヘッド本体２の上下を貫通して貫通孔２ａを形成し、該貫通孔の下側開口をソールプレート４で塞ぐとともに、当該貫通孔２ａにシャフト１の先端側が挿通されて組み付けられたものである。【選択図】図２
2006198022.tif 000002
【特許請求の範囲】
【請求項１】
基端側を競技者が把持し得る棒状のシャフトと、
該シャフト先端に形成された木製のヘッド本体と、
該ヘッド本体に形成され、打球し得るフェイスと、
前記ヘッド本体の下面に形成された金属製のソールプレートと、
を有したグラウンドゴルフ用クラブにおいて、
前記ヘッド本体の上下を貫通して貫通孔を形成し、該貫通孔の下側開口を前記ソールプレートで塞ぐとともに、当該貫通孔に前記シャフトの先端側が挿通されて組み付けられたことを特徴とするグラウンドゴルフ用クラブ。
【請求項２】
前記ソールプレートは、その内側底面に前記シャフトの先端を嵌合し得るボス部が一体的に形成されたことを特徴とする請求項１記載のグラウンドゴルフ用クラブ。
【請求項３】
前記ボス部には、前記フェイスの内面と当接した支持板が一体的に形成されたことを特徴とする請求項２記載のグラウンドゴルフ用クラブ。
【発明の詳細な説明】
【技術分野】
【０００１】
本発明は、シャフトの先端にヘッド本体が形成されたグラウンドゴルフ用クラブに関するものである。
【背景技術】
【０００２】
グラウンドゴルフで使用されるクラブは、例えば日本グラウンドゴルフ協会（ＪＧＧＡ）の規則に従って設計製作されて成るものであり、従来、競技者が把持し得る棒状のシャフトと、該シャフト先端に形成された木製のヘッド本体と、該ヘッド本体の正面及び背面にそれぞれ形成されて打球し得るフェイスと、ヘッド本体の下面（例えば下面全域）を覆って形成された金属製のソールプレートとから主に構成されていた。
【０００３】
具体的には、上記従来のクラブは、ヘッド本体の打球面をカーボン板ウレタン層などで補強してフェイスを形成するとともに下面をソールプレートで補強した後、当該ヘッド本体の上部に形成された取付穴（上方に開口しつつヘッド本体の略中央位置まで延びた有底穴）にシャフト先端を挿通して嵌合させつつ接着剤やネジ等により互いを固定させていた。そして、シャフトの基端側を競技者が把持し、スイングしてヘッド本体のフェイスにて打球することにより、ボールを飛ばして所定のルールによる競技が行われていた。尚、かかる先行技術は、文献公知発明に係るものでないため、記載すべき先行技術文献情報はない。
【発明の開示】
【発明が解決しようとする課題】
【０００４】
しかしながら、上記従来のグラウンドゴルフ用クラブにおいては、木製のヘッド本体の上部に形成された取付穴にシャフトの先端を嵌合させて成るものであったため、競技において打球する際、スイング時のシャフトからヘッド本体のフェイスを介してボールに力が伝達される過程において、当該フェイスにおける打球位置が微妙にずれると、力がボールに対して良好に伝達されないという問題があった。
【０００５】
即ち、ヘッド本体の取付穴は、その上面から内部の略中央までしか延びていないため、当該シャフトの先端は、ヘッド本体の上下方向における略中央に位置することとなり、例えば打球位置がフェイスの下方にずれた場合、シャフトによるバックアップがない部位にて打球することとなり、良好な力の伝達がなされない虞があった。特に、グラウンドゴルフで使用されるクラブにおいては、ヘッド本体が木製とされているため、力の伝達が元々良好ではなく、シャフトによるバックアップがない部位にて打球した際の不具合は顕著であった。
【０００６】
然るに、既述したように、グラウンドゴルフで使用されるクラブは、規則に従って設計製作されて成るため、構成部材の追加や材質の変更等を行うことができず、力の伝達を均一にすべく別途のバックアップをヘッド本体内に付与させる等の改良の余地があまりないのが実情である。
【０００７】
本発明は、このような事情に鑑みてなされたもので、構成部材の追加や材質の変更等を伴うことなく、打球時の力の伝達に対する不具合の解消を図ることができるグラウンドゴルフ用クラブを提供することにある。
【課題を解決するための手段】
【０００８】
請求項１記載の発明は、基端側を競技者が把持し得る棒状のシャフトと、該シャフト先端に形成された木製のヘッド本体と、該ヘッド本体に形成され、打球し得るフェイスと、前記ヘッド本体の下面に形成された金属製のソールプレートとを有したグラウンドゴルフ用クラブにおいて、前記ヘッド本体の上下を貫通して貫通孔を形成し、該貫通孔の下側開口を前記ソールプレートで塞ぐとともに、当該貫通孔に前記シャフトの先端側が挿通されて組み付けられたことを特徴とする。
【０００９】
請求項２記載の発明は、請求項１記載のグラウンドゴルフ用クラブにおいて、前記ソールプレートは、その内側底面に前記シャフトの先端を嵌合し得るボス部が一体的に形成されたことを特徴とする。
【００１０】
請求項３記載の発明は、請求項２記載のグラウンドゴルフ用クラブにおいて、前記ボス部には、前記フェイスの内面と当接した支持板が一体的に形成されたことを特徴とする。
【発明の効果】
【００１１】
請求項１の発明によれば、ヘッド本体の上下を貫通して貫通孔が形成されるとともに、該貫通孔にシャフトの先端側が挿通されて組み付けられたので、当該ヘッド本体の上下方向全域に亘ってシャフトによるバックアップがなされることとなる。従って、構成部材の追加や材質の変更等を伴うことなく、打球時の力の伝達に対する不具合の解消を図ることができる。同時に、貫通孔の下側開口をソールプレートで塞いでいるので、貫通孔からの浸水等を回避することができ、当該ヘッド本体の浸水による劣化を防止することができる。
【００１２】
請求項２の発明によれば、ソールプレートの内側底面にシャフトの先端を嵌合し得るボス部が一体的に形成されたので、構成部材の追加や材質の変更等を伴うことなく、打球時の力の伝達に対する不具合の解消をより有効に図ることができるとともに、シャフトとヘッド本体との結合をより強固にすることができる。
【００１３】
請求項３の発明によれば、フェイスの内面と当接した支持板がボス部と一体的に形成されたので、シャフトとヘッド本体との結合をより強固にすることができるとともに、支持板によってフェイスのバックアップをより有効なものとすることができ、打球時の打感を良好なものとすることができる。
【発明を実施するための最良の形態】
【００１４】
以下、本発明の実施形態について図面を参照しながら具体的に説明する。
本実施形態に係るグラウンドゴルフ用クラブは、図１及び図２に示すように、棒状部材から成るシャフト１と、ヘッド本体２と、カーボン等硬質材料から成るフェイス３と、アルミなど金属材料から成り、ボス部５及び支持板６が形成されたソールプレート４とから主に構成されている。尚、シャフト１の基端側には、競技者が把持し得るグリップ部１ａが形成されているとともに、先端側にヘッド本体２が形成されている。
【００１５】
ヘッド本体２は、図示の如き所定形状に形成された木製のものから成り、図２に示すように、その上下を貫通した貫通孔２ａが形成されている。即ち、貫通孔２ａは、予めドリル等による孔明け加工によりシャフト１先端側と略同一径に形成された孔であり、ヘッド本体２の略中央位置における上面及び下面にて開口している。かかる貫通孔２ａに接着剤等を塗布しておき、シャフト１の先端から挿通させて嵌合させることにより、ヘッド本体２にシャフト１が組み付けられている。
【００１６】
フェイス３は、ヘッド本体２の正面側に形成されたカーボン等硬質材料から成る平面状部材から成り、グラウンドゴルフにおけるボール（不図示）を打球し得るものである。かかるフェイス３は、ヘッド本体２における正面の略全域を覆っており、何れの部位にもボールが当たって遠方へ飛ばせ得るよう構成されている。尚、ヘッド本体２の背面側にもフェイス７が形成されており、かかるフェイス７によっても打球し得るようになっている。
【００１７】
ソールプレート４は、ヘッド本体２の下面全域を覆って形成された金属製のものから成り、ヘッド本体２の下面側を補強すべくネジｎ（図２参照）にて固定されている。かかるソールプレート４には、図３に示すように、上方に突出形成されたボス部５と、フェイス３側に延びた板状の支持板６とが一体的に形成されている。尚、ソールプレート４は、本実施形態の如くヘッド本体２の下面全域を覆って形成されるものの他、当該ヘッド本体２の下面略中央の一部に形成され、貫通孔２の下側開口を覆って塞いだものとしてもよい。また、ソールプレート４のヘッド本体２に対する固定手段として、ネジｎとは異なるものであってもよい。
【００１８】
ボス部５は、図４に示すように、貫通孔２ａに挿通されたシャフト１の先端を嵌合し得るべく、円形で所定径の凹部５ａが形成されたものである。かかるボス部５にシャフト１の先端を嵌合させて組み付けているので、シャフト１とヘッド本体２との結合をより強固にすることができる。支持板６は、その背面がボス部５の側面、下面がソールプレート４の内側底面とそれぞれ一体化されたもので、ソールプレート４がヘッド本体２に組み付けられた際、同図に示すように、フェイス３の内面３ａと当接し得るようになっている。
【００１９】
これにより、フェイス３の内面３ａと当接した支持板６がボス部５と一体的に形成されたので、シャフト１とヘッド本体２との結合をより強固にすることができるとともに、支持板６によってフェイス３のバックアップをより有効なものとすることができ、打球時の打感を良好なものとすることができる。即ち、競技中、クラブをスイングした際、シャフト１からボス部５、支持板６及びフェイス３を介してボールに力が伝達されるので、木製のヘッド本体２を介して力の伝達が行われるものに比べ、力がボールに対してより良好に伝達される。
【００２０】
同時に、支持板６にて打球時のフェイス３に対するバックアップが図られるため、当該フェイス３の何れの位置にボールが当たっても、より有効に力の伝達を図ることができるとともに、打球時の打感を良好なものとすることができる。更に、シャフト１は、ヘッド本体２とソールプレート４との両者に固定されることとなり、これらを組み付けた際の位置関係を正確とすることができ、組み付け強度を安定して得ることができる。
【００２１】
上記実施形態によれば、ヘッド本体２の上下を貫通して貫通孔２ａが形成されるとともに、該貫通孔２ａにシャフト１の先端側が挿通されて組み付けられたので、当該ヘッド本体２の上下方向全域に亘ってシャフト１によるバックアップがなされることとなる。従って、構成部材の追加や材質の変更等を伴うことなく、打球時の力の伝達に対する不具合の解消を図ることができる。即ち、打球時、フェイス３の上下方向何れの位置にボールが当たっても、シャフト１によるバックアップがなされるので、例えばフェイスの下方にボールが当たった場合に力の伝達が良好に行われ得ない従来のものに比べ、安定したボールの飛距離及び方行性を得ることができるのである。
【００２２】
一方、ヘッド本体２の下面全域を覆って金属製のソールプレート４が形成されているので、貫通孔２ａの下側開口をソールプレート４で塞いで、当該開口からの浸水等を回避することができ、当該ヘッド本体２の浸水による劣化を防止することができる。即ち、グラウンドゴルフにおいては、ヘッド本体２を木製とすべき規定があり、木製のヘッド本体２に貫通孔２ａを形成した際の浸水等による不具合を防止する必要があるのに対し、本実施形態によれば、かかる必要性をも充足させることができるのである。
【００２３】
以上、本実施形態について説明したが、本発明はこれに限定されるものではなく、例えばフェイス３をカーボンより軟質の材料からなる板状部材に代えてもよく、左利き及び右利きの両者が使用できる本実施形態のものに代え、正面のみにフェイスが形成されたものとしてもよい。ボス部５及び支持板６の寸法及び形状は、任意変更を加えてもよく、例えばシャフト１先端が断面矩形状のものの場合、ボス部５の凹部５ａの形状を当該断面形状に倣ったものとするのが好ましい。
【産業上の利用可能性】
【００２４】
ヘッド本体の上下を貫通して貫通孔を形成し、該貫通孔の下側開口をソールプレートで塞ぐとともに、当該貫通孔に前記シャフトの先端側が挿通されて組み付けられたグラウンドゴルフ用クラブであれば、外観形状が異なるもの或いは他の機能が付加されたものにも適用することができる。
【図面の簡単な説明】
【００２５】
【図１】本発明の実施形態に係るグラウンドゴルフ用クラブを示す全体外観図
【図２】同グラウンドゴルフ用クラブにおけるヘッド本体等シャフト先端側の構成部品を示す斜視図
【図３】同グラウンドゴルフ用クラブにおけるソールプレートを示す斜視図
【図４】図１におけるＩＶ−ＩＶ線断面図
【符号の説明】
【００２６】
１    シャフト
２    ヘッド本体
２ａ  貫通孔
３    フェイス
３ａ  内面
４    ソールプレート
５    ボス部
６    支持板
【図１】
2006198022.tif 000003
【図２】
2006198022.tif 000004
【図３】
2006198022.tif 000005
【図４】
2006198022.tif 000006